(57)【要約】【課題】  各情報等についてカテゴリごとの分類をしながらも、使い勝手の向上を図りうる情報端末を提供する。【解決手段】  本発明の情報端末の制御装置は、入力装置２０１に対し複数の指定操作Ｐ２（ｋ）のうち一の指定操作Ｐ２（ｋ）がなされたか否かを判定する。制御装置は、一の指定操作Ｐ２（ｋ）がなされたと判定されたことを要件として、入力装置２０１を複数のカテゴリＣ（ｉ）のうち当該一の指定操作P（ｋ）に対応する一のカテゴリＣ（ｉ）に関連する機能を使用するための情報を入力する入力インターフェースとして機能させる。【選択図】図２
2015170052.tif 000002
【特許請求の範囲】
【請求項１】
入力装置と、
前記入力装置に対し複数の指定操作のうち一の指定操作がなされたか否かを判定し、かつ、当該一の指定操作がなされたと判定されたことを要件として、前記入力装置を複数のカテゴリのうち当該一の指定操作に対応する一のカテゴリに関連する機能を使用するための情報を入力する入力インターフェースとして機能させる制御装置とを備えることを特徴とする情報端末。
【請求項２】
請求項１記載の情報端末において、
前記複数のカテゴリの一部または全部のカテゴリにそれぞれ複数の前記入力インターフェースが分類され、
前記制御装置は、同一の指定操作が連続的に繰り返されることを要件として、当該同一の指定操作に対応するカテゴリにおける各入力インターフェースの優先順位に従って、前記入力装置を前記各入力インターフェースとして機能させるように構成されていることを特徴とする情報端末。
【請求項３】
請求項２記載の情報端末において、
前記入力インターフェースに対する入力回数を記録する記憶装置を備え、
前記制御装置は、前記記憶装置に記憶された当該入力回数が多いほど、当該入力インターフェースとしてのインターフェースの優先順位を高く設定するように構成されていることを特徴とする情報端末。
【請求項４】
請求項１〜３のうちいずれか１項に記載の情報端末において、
画面出力機能を有する出力装置を備え、
前記指定操作は、前記出力装置の複数の方位のそれぞれに対応する指向性を有する操作であり、
前記制御装置は、前記指定操作の指向性に対応する方位を認識し、かつ、前記出力装置の出力画像の基準点を中心として前記認識された方位の反対の方位に存在する領域に、アクセスを通じて前記入力装置を前記入力インターフェースとして機能させるための第１画像を表示するように構成されていることを特徴とする情報端末。
【請求項５】
請求項４記載の情報端末において、
前記出力装置は、縦方向または横方向の一方が他方と比較して長く構成され、
前記制御装置は、カテゴリごとに当該カテゴリに含まれる入力インターフェースとして前記入力装置を機能させ続ける時間である機能可能時間を設定するとともに、前記出力装置の長手方向の縁部領域に一部のカテゴリに含まれる前記第１画像を表示し、前記出力装置の短手方向の縁部領域に前記一部のカテゴリよりも前記機能可能時間が短時間のカテゴリに含まれる前記第１画像を表示するように構成されていることを特徴とする情報端末。
【請求項６】
画面出力機能を有する出力装置と、
入力装置と、
前記入力装置に対し複数の指定操作のうち一の指定操作がなされたか否かを判定し、かつ、当該一の指定操作がなされたと判定されたことを要件として、前記出力装置を複数のカテゴリのうち当該一の指定操作に対応する一のカテゴリに関連する情報を出力する出力インターフェースとして機能させる制御装置とを備えることを特徴とする情報端末。
【請求項７】
請求項６記載の情報端末において、
前記複数のカテゴリの一部または全部のカテゴリにそれぞれ複数の前記出力インターフェースが分類され、
前記制御装置は、同一の指定操作が連続的に繰り返されることを要件として、当該同一の指定操作に対応するカテゴリにおける各出力インターフェースの優先順位に従って、前記出力装置を前記各出力インターフェースとして機能させるように構成されていることを特徴とする情報端末。
【請求項８】
請求項７記載の情報端末において、
前記出力装置が前記出力インターフェースとして機能している累計機能時間及び機能回数当たりの平均機能時間の一方又は両方を記録する記憶装置を備え、
前記制御装置は、前記記憶装置に記憶された出力インターフェースとしての累計機能時間及び平均機能時間の一方又は両方が長いほど、当該出力インターフェースの優先順位を高く設定するように構成されていることを特徴とする情報端末。
【請求項９】
請求項６〜８のうちいずれか１項に記載の情報端末において、
前記指定操作は、前記出力装置の複数の方位のそれぞれに対応する指向性を有する操作であり、
前記制御装置は、前記指定操作の指向性に対応する方位を認識し、かつ、前記出力装置の出力画像の基準点を中心として前記認識された方位の反対の方位に存在する領域に、前記出力装置に表示されることにより前記出力装置を前記出力インターフェースとして機能させるための第２画像を表示するように構成されていることを特徴とする情報端末。
【請求項１０】
請求項９記載の情報端末において、
情報端末の外部と通信を行う通信装置を備え、
前記通信装置が前記外部から受信した情報が予め指定された指定情報に該当することを要件として、当該情報を含む前記第２画像を前記出力装置の予め指定された指定領域に表示するように構成されていることを特徴とする情報端末。
【請求項１１】
請求項９又は１０記載の情報端末において、
前記出力装置は、縦方向または横方向の一方が他方と比較して長く構成され、
前記制御装置は、カテゴリごとに当該カテゴリに含まれる出力インターフェースとして前記出力装置を機能させ続ける時間である機能可能時間を設定するとともに、前記出力装置の長手方向の縁部領域に一部のカテゴリに含まれる前記第２画像を表示し、前記出力装置の短手方向の縁部領域に前記一部のカテゴリよりも前記機能可能時間が短時間のカテゴリに含まれる前記第２画像を表示するように構成されていることを特徴とする情報端末。
【請求項１２】
請求項１〜１１のうちいずれか１項に記載の情報端末において、
前記複数のカテゴリは、検索機能に関連する検索カテゴリ、著作物の鑑賞機能に関連する著作物カテゴリ、通信を介して他者とのコミュニケーション情報の送受信を行うためのコミュニケーションカテゴリ、及び基地局から発信された情報を出力するインフォメーションカテゴリからなることを特徴とする情報端末。
【発明の詳細な説明】
【技術分野】
【０００１】
本発明は、情報端末に関する。
【背景技術】
【０００２】
従来、情報端末について、使い勝手向上のため、情報をカテゴリに分類して提示する機能が提案されている。
【０００３】
たとえば、ナビゲーション装置において、検査対象の地域内に存在するカテゴリ（ジャンル）ごとの施設の数を算出し、算出した施設の数に基づいて、各カテゴリの表示順序を設定し、当該カテゴリの表示順序に従ってカテゴリリストを表示モニタに表示する技術が提案されている（特許文献１参照）。
【０００４】
より具体的には、当該特許文献１の技術によれば、検査対象の地域において、病院、レストラン、美術館といったカテゴリごとの施設の数が算出される。そして、当該算出された施設の数に基づいて、たとえば施設の数が多いほど上位になるように、レストラン、美術館、病院といったように、各カテゴリの表示順序が設定される。この表示順序に従って、カテゴリリストがモニタに表示される。表示されたカテゴリリストからユーザがいずれかのカテゴリを指定する操作を行うと、当該指定されたカテゴリに含まれる施設が検査対象地域において検索され、検索結果がモニタに表示される。
【０００５】
このように、カテゴリごとに機能または情報が分類されると、カテゴリごとに機能または情報が分類されていない場合に比べ、ユーザが目的とする情報を探し出しやすくなる。
【先行技術文献】
【特許文献】
【０００６】
【特許文献１】特開２０１３−６８４２３号公報
【発明の概要】
【発明が解決しようとする課題】
【０００７】
しかしながら、従来の技術では、カテゴリごとに機能または情報が分類されると、当該カテゴリが画面のどこに表示されているかをユーザに判断させる必要がある。
【０００８】
たとえば、特許文献１の技術においては、カテゴリリストの表示順序が施設の数に応じて変化する。このため、ユーザがレストランを探したいと考えた場合、ユーザはレストランが含まれるカテゴリがどの位置にあるかを探し出す必要がある。
【０００９】
この結果、ユーザに使い勝手が悪いとの印象を与えるおそれがあった。
【００１０】
そこで、本発明は、各情報等についてカテゴリごとの分類をしながらも、使い勝手の向上を図りうる情報端末を提供することを目的とする。
【課題を解決するための手段】
【００１１】
本発明の情報端末は、
入力装置と、
前記入力装置に対し複数の指定操作のうち一の指定操作がなされたか否かを判定し、かつ、当該一の指定操作がなされたと判定されたことを要件として、前記入力装置を複数のカテゴリのうち当該一の指定操作に対応する一のカテゴリに関連する機能を使用するための情報を入力する入力インターフェースとして機能させる制御装置とを備える。
【００１２】
本発明の情報端末によれば、指定操作がなされたことを要件として入力装置が当該指定操作に関連付けられたカテゴリに関連する入力インターフェースとして機能する。この結果、ユーザが当該カテゴリに関連する機能を使用するまたは当該カテゴリに分類される情報を出力させるために画面を注視する等の注意を払う必要性が低下するので、当該情報端末の使い勝手の向上が図られる。
【００１３】
なお、本発明における「入力装置を複数のカテゴリのうち当該一の指定操作に対応する一のカテゴリに関連する機能を使用するための情報を入力する入力インターフェースとして機能させ」るとは、出力装置に当該カテゴリに関連する機能を使用するための情報の入力ボックス等を表示して入力装置を介して当該出力装置に表示された入力ボックスに情報を入力することができるように、入力装置を機能させることを含む。
【００１４】
当該構成の情報端末において、
前記複数のカテゴリの一部または全部のカテゴリにそれぞれ複数の前記入力インターフェースが分類され、
前記制御装置は、同一の指定操作が連続的に繰り返されることを要件として、当該同一の指定操作に対応するカテゴリにおける各入力インターフェースの優先順位に従って、前記入力装置を前記各入力インターフェースとして機能させるように構成されている。
【００１５】
当該構成の情報端末によれば、一部または全部のカテゴリのそれぞれに分類される入力インターフェースが複数存在する場合でも、当該カテゴリに対応する指定操作の繰り返しにより入力装置をユーザ所望の入力インターフェースとして機能させることができる。この結果、ユーザが当該カテゴリに関連する機能を使用するまたは当該カテゴリに分類される情報を取得するために画面を注視する等の注意を払う必要性が低下するので、当該情報端末の使い勝手の向上が図られる。
【００１６】
当該構成の情報端末において、
前記入力インターフェースに対する入力回数を記録する記憶装置を備え、
前記制御装置は、前記記憶装置に記憶された当該入力回数が多いほど、当該入力インターフェースとしてのインターフェースの優先順位を高く設定するように構成されている。
【００１７】
利用頻度が高いインターフェースは、今後もユーザが所望するインターフェースである蓋然性が高い。この点に着目して構成された当該構成の情報端末によれば、利用頻度が高いインターフェースの優先順位が高く設定される。この結果、その後も、少ない回数の操作で入力装置をユーザが所望するインターフェースとして機能させることができる蓋然性が高くなるので、当該情報端末の使い勝手の向上が図られる。
【００１８】
本発明の情報端末において、
画面出力機能を有する出力装置を備え、
前記指定操作は、前記出力装置の複数の方位のそれぞれに対応する指向性を有する操作であり、
前記制御装置は、前記指定操作の指向性に対応する方位を認識し、かつ、前記出力装置の出力画像の基準点を中心として前記認識された方位の反対の方位に存在する領域に、アクセスを通じて前記入力装置を前記入力インターフェースとして機能させるための第１画像を表示するように構成されている。
【００１９】
当該構成の情報端末によれば、基準点を中心として指定操作の指向性に対応する方位に対して反対の方位に存在する領域に第１画像が表示される。これにより、出力画像において指定操作の指向性に対応する方位または指定操作の指向性と関係がない方位に第１画像が表示される場合に比べ、ユーザに与える違和感が軽減される。この結果、当該情報端末の使い勝手の向上が図られる。
【００２０】
当該構成の情報端末において、
前記出力装置は、縦方向または横方向の一方が他方と比較して長く構成され、
前記制御装置は、カテゴリごとに当該カテゴリに含まれる入力インターフェースとして前記入力装置を機能させ続ける時間である機能可能時間を設定するとともに、前記出力装置の長手方向の縁部領域に一部のカテゴリに含まれる前記第１画像を表示し、前記出力装置の短手方向の縁部領域に前記一部のカテゴリよりも前記機能可能時間が短時間のカテゴリに含まれる前記第１画像を表示するように構成されている。
【００２１】
出力装置の短手方向の縁部領域への第１画像の長時間の表示は、出力装置の長手方向の縁部領域への第１画像の長時間の表示に比べ、出力装置全体の視認性が著しく低下しやすい。
【００２２】
この点に着目して構成された当該構成の情報端末によれば、機能可能時間が長時間の第１画像が出力装置の長手方向の縁部領域に表示され、機能可能時間が短時間の第１画像が出力装置の短手方向の縁部領域に表示される。この結果、視認性の著しい低下が回避されるので、当該情報端末の使い勝手の向上が図られる。
【００２３】
本発明の情報端末は、
画面出力機能を有する出力装置と、
入力装置と、
前記入力装置に対し複数の指定操作のうち一の指定操作がなされたか否かを判定し、かつ、当該一の指定操作がなされたと判定されたことを要件として、前記出力装置を複数のカテゴリのうち当該一の指定操作に対応する一のカテゴリに関連する情報を出力する出力インターフェースとして機能させる制御装置とを備える。
【００２４】
本発明の情報端末によれば、指定操作がなされたことを要件として出力装置が当該指定操作に関連付けられたカテゴリに関連する出力インターフェースとして機能する。この結果、ユーザが当該カテゴリに関連する機能を使用するまたは当該カテゴリに分類される情報を出力させるために画面を注視する等の注意を払う必要性が低下するので、当該情報端末の使い勝手の向上が図られる。
【００２５】
本発明の情報端末において、
前記複数のカテゴリの一部または全部のカテゴリにそれぞれ複数の前記出力インターフェースが分類され、
前記制御装置は、同一の指定操作が連続的に繰り返されることを要件として、当該同一の指定操作に対応するカテゴリにおける各出力インターフェースの優先順位に従って、前記出力装置を前記各出力インターフェースとして機能させるように構成されている。
【００２６】
当該構成の情報端末によれば、一部または全部のカテゴリのそれぞれに分類される出力インターフェースが複数存在する場合でも、当該カテゴリに対応する指定操作の繰り返しにより出力装置をユーザ所望の出力インターフェースとして機能させることができる。この結果、ユーザが当該カテゴリに関連する機能を使用するまたは当該カテゴリに分類される情報を取得するために画面を注視する等の注意を払う必要性が低下するので、当該情報端末の使い勝手の向上が図られる。
【００２７】
当該構成の情報端末において、
前記出力装置が前記出力インターフェースとして機能している累計機能時間及び機能回数当たりの平均機能時間の一方又は両方を記録する記憶装置を備え、
前記制御装置は、前記記憶装置に記憶された出力インターフェースとしての累計機能時間及び平均機能時間の一方又は両方が長いほど、当該出力インターフェースの優先順位を高く設定するように構成されている。
【００２８】
利用頻度が高いインターフェースは、今後もユーザが所望するインターフェースである蓋然性が高い。この点に着目して構成された当該構成の情報端末によれば、利用頻度が高いインターフェースの優先順位が高く設定される。この結果、その後も、少ない回数の操作で入力装置をユーザが所望するインターフェースとして機能させることができる蓋然性が高くなるので、当該情報端末の使い勝手の向上が図られる。
【００２９】
本発明の情報端末において、
前記指定操作は、前記出力装置の複数の方位のそれぞれに対応する指向性を有する操作であり、
前記制御装置は、前記指定操作の指向性に対応する方位を認識し、かつ、前記出力装置の出力画像の基準点を中心として前記認識された方位の反対の方位に存在する領域に、前記出力装置に表示されることにより前記出力装置を前記出力インターフェースとして機能させるための第２画像を表示するように構成されている。
【００３０】
当該構成の情報端末によれば、基準点を中心として指定操作の指向性に対応する方位に対して反対の方位に存在する領域に第２画像が表示される。これにより、出力画像において指定操作の指向性に対応する方位または指定操作の指向性と関係がない方位に第２画像の一方又は両方が表示される場合に比べ、ユーザに与える違和感が軽減される。この結果、当該情報端末の使い勝手の向上が図られる。
【００３１】
当該構成の情報端末において、
情報端末の外部と通信を行う通信装置を備え、
前記通信装置が前記外部から受信した情報が予め指定された指定情報に該当することを要件として、当該情報を含む前記第２画像を前記出力装置の予め指定された指定領域に表示するように構成されている。
【００３２】
ユーザと情報端末の出力装置及び入力装置の配置関係によっては、ユーザが一部の指定操作をしにくい場合がある。また、外部から受信した情報のうち一部または全部の情報は、ユーザが指定操作を行わない場合でも、表示することが好ましいことがある。
【００３３】
これらの点に着目して構成された当該構成の情報端末によれば、受信した情報が指定情報に該当することを要件として予め指定された指定領域に当該情報を含む第２画像が表示される。この結果、ユーザの指定操作が省略されながら、指定領域に受信した情報が適切に出力されるので、当該情報端末の使い勝手の向上が図られる。
【００３４】
当該構成の情報端末において、
前記出力装置は、縦方向または横方向の一方が他方と比較して長く構成され、
前記制御装置は、カテゴリごとに当該カテゴリに含まれる出力インターフェースとして前記出力装置を機能させ続ける時間である機能可能時間を設定するとともに、前記出力装置の長手方向の縁部領域に一部のカテゴリに含まれる前記第２画像を表示し、前記出力装置の短手方向の縁部領域に前記一部のカテゴリよりも前記機能可能時間が短時間のカテゴリに含まれる前記第２画像を表示するように構成されている。
【００３５】
出力装置の短手方向の縁部領域への第２画像の一方又は両方の長時間の表示は、出力装置の長手方向の縁部領域への第２画像の一方又は両方の長時間の表示に比べ、出力装置全体の視認性が著しく低下しやすい。
【００３６】
この点に着目して構成された当該構成の情報端末によれば、機能可能時間が長時間の第２画像が出力装置の長手方向の縁部領域に表示され、機能可能時間が短時間の第２画像が出力装置の短手方向の縁部領域に表示される。この結果、視認性の著しい低下が回避されるので、当該情報端末の使い勝手の向上が図られる。
【００３７】
本発明の情報端末において、
前記複数のカテゴリは、検索機能に関連する検索カテゴリ、著作物の鑑賞機能に関連する著作物カテゴリ、通信を介して他者とのコミュニケーション情報の送受信を行うためのコミュニケーションカテゴリ、及び基地局から発信された情報を出力するインフォメーションカテゴリからなる。
【００３８】
当該構成の情報端末によれば、ユーザの関心が高い検索、著作物、コミュニケーション及びインフォメーションが個別にカテゴリ分けされる。この結果、入力装置又は出力装置を指定操作によってユーザの関心が高いカテゴリのインターフェースとして機能させることができるので、ユーザが画面を注視する等の注意を払う必要性が低下する。この結果、当該情報端末の使い勝手の向上が図られる。
【図面の簡単な説明】
【００３９】
【図１】本実施形態の情報端末を構成要素として含むシステムの概略構成図。
【図２】出力装置に表示される画面とウィジェットの説明図。
【図３】主画像とウィジェットと各操作とに関する説明図で、（ａ）はウィジェットが表示されていない場合の表示画面を示す図、（ｂ）はウィジェットが表示されている場合の表示画面を示す図、（ｃ）は主画像操作についての説明図、（ｄ）は指定操作についての説明図、（ｅ）はウィジェット操作についての説明図。
【図４】操作受付処理のフローチャート。
【図５】操作受付処理またはインフォメーション表示処理の説明図で、（ａ）はウィジェットが表示されていない場合の表示画面を示す図、（ｂ）は指定操作に対応しない領域にウィジェットが表示されている場合の表示画面を示す図、（ｃ）は指定操作に対応する領域にウィジェットが表示されている場合の表示画面を示す図、（ｄ）及び（ｅ）は操作受付処理により表示されたウィジェットを含む表示画面を示す図、（ｆ）はインフォメーション表示処理において既に情報が表示されていた場合の表示画面を示す図、（ｇ）はインフォメーション表示処理により表示されたウィジェットを含む表示画面を示す図。
【図６】インフォメーション表示処理のフローチャート。
【発明を実施するための形態】
【００４０】
（構成）
図１に示されているサポートシステムは、ネットワークを介して相互通信可能なサポートサーバ１０およびスマホ２０（情報端末）により構成されている。
【００４１】
サポートサーバ１０は、サーバ記憶要素１０４と、第１サーバ演算処理要素１１と、第２サーバ演算処理要素１２とを備えている。サーバ記憶要素１０４は、車両識別子およびこの車両識別子により識別される車両の燃料残量のほか、複数のリンクにより構成される道路網を含むサポートマップ等の種々のデータを記憶保持または格納するように構成されている。第１サーバ演算処理要素１１および第２サーバ演算処理要素１２は、サポートサーバ１０を構成するＣＰＵ（演算処理装置）およびメモリ（サーバ記憶要素）により構成され、スマホ２０に種々の情報を送信する演算処理を実行するように構成されている。
【００４２】
スマホ２０は、ＧＰＳを用いた自己位置測定機能と、車両およびサポートサーバ１０を含む外部機器との通信機能（通信装置）とを有している。スマホ２０は、入力装置２０１と、出力装置２０２と、スマホ記憶要素２０４と、第１スマホ演算処理要素２１（第１携帯演算処理要素）と、第２スマホ演算処理要素２２（第２携帯演算処理要素）とを備えている。
【００４３】
入力装置２０１は、ディスプレイと一体的に構成されているタッチパネルスイッチにより構成され、ユーザによるスマホ２０に対する情報入力および指令などを可能とするように構成されている。タップ（シングルタップ、ダブルタップおよびロングタップ）、フリック（上フリック、下フリック、左フリックおよび右フリック）、スワイプ、ピンチ（ピンチインおよびピンチアウト）またはマルチタッチなど、スマホ２０の様々な種別の操作が可能とされている。出力装置２０２は、当該ディスプレイ及び音声又は音楽を出力するスピーカにより構成されている。スマホ記憶要素２０４は、車両識別子およびこの車両識別子により識別される車両の燃料残量のほか、複数のリンクにより構成される道路網を含むサポートマップ等の種々のデータを記憶保持または格納するように構成されている。第１スマホ演算処理要素２１および第２スマホ演算処理要素２２は、スマホ２０を構成するコンピュータ（ＣＰＵ（演算処理装置）およびメモリ（スマホ記憶要素）を有する。）により構成され、後述する演算処理を実行するように構成されている。当該コンピュータが本発明の「制御装置」に該当する。
【００４４】
本発明の構成要素が担当の情報演算処理を実行するように構成されているとは、当該構成要素がメモリからプログラム（アプリケーションソフトウェア（以下「アプリ」という。）を含む。）を読み取り、当該プログラムにしたがって当該担当の情報演算処理を実行するようにプログラムされていることを意味する。
【００４５】
本発明の構成要素が情報を「認識する」とは、当該構成要素が情報を受信すること、情報を内部または外部記憶装置から検索または読み取ること、検索等された基礎情報を対象に演算処理を実行することにより情報を算定または推定すること、情報を記憶装置に保存しておくことなど、当該情報を利用可能な状態とするための演算処理の少なくとも一部を実行することを意味する。
【００４６】
車両のイグニッションスイッチがＡＣＣ位置またはＯＮ位置にあってＥＣＵ３０（ＣＰＵおよびＲＯＭ等のメモリ等により構成されている。車載制御装置）に車載バッテリから電力が供給される。この状態で、ＥＣＵ３０との通信可能範囲にスマホ２０が存在する場合、スマホ２０および車両（正確にはＥＣＵ３０）が通信により認証を経たうえで、スマホ２０および車両（正確には車載のＥＣＵ３０）の連携が確立される。スマホ２０および車両の連携により、スマホ２０と車両との通信が可能になり、かつ、スマホ２０を通じた車両およびサポートサーバ１０等の外部機器との通信が可能になる。
【００４７】
スマホ記憶要素２０４は、地図等の主画像ＭＰ（図２参照）と第１カテゴリＣ（１）〜第４カテゴリＣ（４）の４つのカテゴリＣ（ｉ）のいずれかに分類される第１ウィジェットＷ（１、ｊ１）〜第４ウィジェットＷ（４，ｊ４）であるウィジェットＷ（ｉ，ｊ）を構成する画像（図２参照）とを保存するように構成されている。
【００４８】
第１ウィジェットＷ（１、ｊ１）〜第４ウィジェットＷ（４，ｊ４）が出力装置２０２に表示されることにより、入力装置２０１及び出力装置２０２の一方又は両方が本発明の「入力インターフェース」及び「出力インターフェース」の一方又は両方として機能する。また、第１ウィジェットＷ（１、ｊ１）及び第２ウィジェットＷ（２、ｊ２）を構成する画像が本発明の「第１画像」に該当し、第３ウィジェットＷ（３，ｊ３）を構成する画像が、本発明の「第１画像」及び「第２画像」に該当し、第４ウィジェットＷ（４，ｊ４）を構成する画像が、本発明の「第２画像」に該当する。
【００４９】
第１カテゴリＣ（１）は、目的地検索ウィジェットＷ（１，１）、施設検索ウィジェットＷ（１，２）及びキーワード検索ウィジェットＷ（１，３）等の検索機能を有する第１ウィジェットＷ（１，ｊ１）（ｊ１＝１，２，３）が分類されている検索カテゴリである（図２参照）。
【００５０】
第２カテゴリＣ（２）は、オーディオプレイヤーウィジェットＷ（２，１）、公衆放送ウィジェットＷ（２，２）、及びテレビウィジェットＷ（２，３）等の著作物鑑賞機能を有する第２ウィジェットＷ（２，ｊ２）（ｊ２＝１，２，３）が分類されている著作物カテゴリである（図２参照）。
【００５１】
第３カテゴリＣ（３）は、ＳＮＳ１ウィジェットＷ（３，１）〜ＳＮＳ３ウィジェットＷ（３，３）等の他者とのコミュニケーション情報を送受信するための第３ウィジェットＷ（３，ｊ３）（ｊ３＝１，２，３）が分類されているコミュニケーションカテゴリである（図２参照）。
【００５２】
第４カテゴリＣ（４）は、交通情報ウィジェットＷ（４，１）、気象情報ウィジェットＷ（４，２）、時事ニュースウィジェットＷ（４，３）及び車両周辺ウィジェットＷ（４，４）等の基地局から発信された情報を表示する第４ウィジェットＷ（４，ｊ４）（ｊ４＝１，２，３，４）が分類されるインフォメーションカテゴリである（図２参照）。
【００５３】
（画面の構成）
ディスプレイに表示される表示画面Ｆについて説明する。表示画面Ｆは、図３（ａ）〜図３（ｅ）に示されているように、横方向が長手方向の略長方形に構成されている。また、表示画面Ｆは、ユーザの入力操作を検知する操作領域を兼ねる。
【００５４】
表示画面Ｆには、図３（ａ）に示されているように、スマホ記憶要素２０４に保存されている主画像（地図画像）ＭＰが表示される。また、表示画面Ｆには、ユーザの操作に応じて、図３（ｂ）に示されているように１または複数のウィジェットＷ（ｉ，ｊ）が主画像ＭＰに重ねて表示されうる。主画像ＭＰ及びウィジェットＷ（ｉ，ｊ）は、それぞれ複数の画像（たとえば地図を示す画像と車両の現在地を示す画像）の組み合わせで構成されていてもよい。
【００５５】
図３（ａ）に示されているように、主画像ＭＰのみが表示されている場合、表示画面Ｆ全体の領域が、主画像ＭＰまたはスマホ２０に対する操作である主画像操作Ｐ１（図３（ｃ）参照）及びウィジェットＷ（ｉ，ｊ）を呼び出す操作である指定操作Ｐ２（ｋ）（図３（ｄ）参照）を受け付ける通常操作領域Ｒ１を構成する。
【００５６】
本実施形態では、指定操作Ｐ２（ｋ）は、指向性がある操作の一種である二本指フリック操作である。他の種別の操作は主画像操作Ｐ１である。
【００５７】
指定操作Ｐ２（ｋ）の態様と第１〜第４カテゴリＣ（１）〜Ｃ（４）のうちのいずれか１つとが一意に対応する。より詳しくは、下方向の指向性がある指定操作Ｐ２（ｋ）の態様（以下、「下フリックＰ２（ｌｏｗｅｒ）」という。）は、第１カテゴリＣ（１）に対応する。左方向の指向性がある指定操作Ｐ２（ｋ）の態様（以下、「左フリックＰ２（ｌｅｆｔ）」という。）は、第２カテゴリＣ（２）に対応する。右方向の指向性がある指定操作Ｐ２（ｋ）の態様（以下、「右フリックＰ２（ｒｉｇｈｔ）」という。）は、第３カテゴリＣ（３）に対応する。上方向の指向性がある指定操作Ｐ２（ｋ）の態様（以下、「上フリックＰ２（ｕｐｐｅｒ）」という。）は、第４カテゴリＣ（４）に対応する。
【００５８】
図３（ｂ）に示されているように、主画像ＭＰに加えてウィジェットＷ（ｉ，ｊ）が表示されている場合、ウィジェットＷ（ｉ，ｊ）が表示されている領域が、当該ウィジェットＷ（ｉ，ｊ）に対する操作であるウィジェット操作Ｐ３（ｉ）（図３（ｅ）参照）を受けつけるウィジェット領域Ｒ２（ｉ）を構成し、ウィジェットＷ（ｉ，ｊ）が表示されていない領域が通常操作領域Ｒ１を構成する。ウィジェット操作Ｐ３（ｉ）は、スマホ２０に対する各操作に紐づけられる。
【００５９】
図２に示されるように、ウィジェット領域Ｒ２（ｉ）は、表示画面Ｆの上側ウィジェット領域Ｒ２（１）、右側ウィジェット領域Ｒ２（２）、左側ウィジェット領域Ｒ２（３）、下側ウィジェット領域Ｒ２（４）の４つの領域を含む。上側領域Ｒ２（１）、右側領域Ｒ２（２）、左側領域Ｒ２（３）及び下側領域Ｒ２（４）には、それぞれ、第１カテゴリＣ（１）の第１ウィジェットＷ（１，ｊ１）、第２カテゴリＣ（２）の第２ウィジェットＷ（２，ｊ２）、第３カテゴリＣ（３）の第３ウィジェットＷ（３，ｊ３）、第４カテゴリＣ（４）の第４ウィジェットＷ（４，ｊ４）が表示される。なお、たとえば車両周辺ウィジェットＷ（４，４）のように、拡大して表示することが好ましい場合は、表示画面全体をウィジェット領域Ｒ２（ｉ）＋としてもよい（図２、Ｒ２（４）＋参照）。
【００６０】
また、第２カテゴリＣ（２）及び第３カテゴリＣ（３）のそれぞれの第２ウィジェットＷ（２，ｊ２）、第３ウィジェットＷ（３、ｊ３）には、そのウィジェットを表示させ続ける時間（表示可能時間（機能可能時間））として、無限大が設定されている。第１カテゴリＣ（１）及び第４カテゴリＣ（４）のウィジェットには、表示可能時間として、第２ウィジェットＷ（２、ｊ２）及び第３ウィジェットＷ（３，ｊ３）の表示可能時間よりも短い時間（たとえば３０秒〜１０分）が設定されている。
【００６１】
（各操作との第１スマホ演算処理要素２１の処理との関係）
各操作との第１スマホ演算処理要素２１の処理との関係を説明する。
【００６２】
図３（ｃ）に示されるように通常操作領域Ｒ１に対しユーザによって主画像操作Ｐ１が行われたことを第１スマホ演算処理要素２１が検知すると、第１スマホ演算処理要素２１は、当該主画像操作Ｐ１に対応する処理を行う（図４／ＳＴＥＰ０１０８）。たとえば、地図が表示されている場合、当該主画像操作Ｐ１に応じて、地図の表示地域を変更するまたは当該地図を拡大もしくは縮小させて表示する等の処理が行われる。
【００６３】
図３（ｄ）に示されるように通常操作領域Ｒ１に対しユーザによって指定操作Ｐ２（ｋ）が行われたことを第１スマホ演算処理要素２１が検知すると、第１スマホ演算処理要素２１はウィジェット呼出処理を行う（図４／ＳＴＥＰ０１１０〜ＳＴＥＰ０１３６）。詳細は後述する。
【００６４】
図３（ｅ）に示されるようにウィジェット領域Ｒ２（ｉ）に対しユーザによってウィジェット操作Ｐ３（ｉ）が行われたことを第１スマホ演算処理要素２１が検知すると、第１スマホ演算処理要素２１はウィジェット操作Ｐ３（ｉ）に対応したウィジェットＷ（ｉ，ｊ）に対する処理（たとえば音楽の再生等）を行う。第１スマホ演算処理要素２１は、また、スマホ記憶要素２０４にウィジェット操作Ｐ３（ｉ）の内容を記録する（図４／ＳＴＥＰ０１０５〜ＳＴＥＰ０１０６）。
【００６５】
（操作受付処理）
図４を参照しながら、第１スマホ演算処理要素２１による、ユーザ操作Ｐを受け付けたときの処理を説明する。
【００６６】
第１スマホ演算処理要素２１は、ウィジェット表示時間ｔ（ｉ，ｊ）のいずれかが定義されているか否かを判定する（図４／ＳＴＥＰ０１０１）。ウィジェット表示時間ｔ（ｉ，ｊ）は、後述するように、それぞれ対応するカテゴリＣ（ｉ）のウィジェットＷ（ｉ，ｊ）が表示されているときに定義される時間変数である。図５（ａ）に示されるように、ウィジェットＷ（ｉ，ｊ）がいずれも表示されていない場合には、当該判定結果は否定的な結果となる。一方、図５（ｂ）または図５（ｃ）に示されるように、いずれかのウィジェットＷ（ｉ，ｊ）が表示されている場合には、当該判定結果は肯定的な結果となる。
【００６７】
当該判定結果が肯定的である場合（図４／ＳＴＥＰ０１０１‥ＹＥＳ）、第１スマホ演算処理要素２１は、定義されているウィジェット表示時間ｔ（ｉ，ｊ）に処理単位時間Δｔを加算する（図４／ＳＴＥＰ０１０２）。
【００６８】
当該判定結果が否定的である場合（図４／ＳＴＥＰ０１０１‥ＮＯ）または図４／ＳＴＥＰ０１０２の後、第１スマホ演算処理要素２１は、入力装置２０１に対するユーザの操作Ｐの有無を判定する（図４／ＳＴＥＰ０１０３）。当該判定結果が否定的である場合（図４／ＳＴＥＰ０１０３‥ＮＯ）、第１スマホ演算処理要素２１は、処理単位時間Δｔ経過後にＳＴＥＰ０１０１以下の処理を行う。
【００６９】
当該判定結果が肯定的である場合（図４／ＳＴＥＰ０１０３‥ＹＥＳ）、第１スマホ演算処理要素２１は、ユーザの操作Ｐが通常操作領域Ｒ１に対する操作であるか否かを判定する（図４／ＳＴＥＰ０１０４）。当該判定結果が否定的である場合（図４／ＳＴＥＰ０１０４‥ＮＯ）、ユーザの操作Ｐはウィジェット操作Ｐ３（ｉ）であるので、上記したように、第１スマホ演算処理要素２１は、当該ウィジェット操作Ｐ３（ｉ）に対応するウィジェットＷに対する処理を行う（図４／ＳＴＥＰ０１０５）。そして、第１スマホ演算処理要素２１は、当該ウィジェット操作Ｐ３（ｉ）の内容をスマホ記憶要素２０４に記憶する（図４／ＳＴＥＰ０１０６）。その後、第１スマホ演算処理要素２１は、今回処理を終了し、次回処理を開始する。
【００７０】
当該判定結果が肯定的である場合（図４／ＳＴＥＰ０１０４‥ＹＥＳ）、第１スマホ演算処理要素２１は、ユーザの操作Ｐが指定操作Ｐ２（ｋ）であるか否かを判定する（図４／ＳＴＥＰ０１０７）。当該判定結果が否定的である場合（図４／ＳＴＥＰ０１０７‥ＮＯ）、ユーザの操作Ｐは主画像操作Ｐ１であるので、上記したように、第１スマホ演算処理要素２１は、主画像に対する処理を行う（図４／ＳＴＥＰ０１０８）。その後、第１スマホ演算処理要素２１は、今回処理を終了し、次回処理を開始する。
【００７１】
当該判定結果が肯定的である場合（図４／ＳＴＥＰ０１０７‥ＹＥＳ）、第１スマホ演算処理要素２１は、ユーザの操作Ｐに基づき、指定操作Ｐ２（ｋ）の指向性のある方向を認識する（図４／ＳＴＥＰ０１１０）。たとえば、左側方向の指向性を持つ指定操作Ｐ２（ｋ）（左フリックＰ２（ｌｅｆｔ））である場合、「ｌｅｆｔ」が取得される。
【００７２】
第１スマホ演算処理要素２１は、あらかじめ定められたカテゴリと操作態様との対応関係に基づき、図４／ＳＴＥＰ１１０で取得された操作態様に対応するカテゴリＣ（ｕ）を認識する（図４／ＳＴＥＰ０１１２）。たとえば図４／ＳＴＥＰ１１０で「ｌｅｆｔ」が取得されている場合、第２カテゴリＣ（２）が認識される。
【００７３】
第１スマホ演算処理要素２１は、図４／ＳＴＥＰ１１２で認識されたカテゴリ（以下、この処理の説明において「今回カテゴリＣ（ｕ）」という。）について、表示済みのウィジェットＷ（ｕ，ｂｅｆｏｒｅ）があるか否かを判定する（図４／ＳＴＥＰ０１１４）。
【００７４】
今回カテゴリＣ（ｕ）のウィジェットＷ（ｕ，ｂｅｆｏｒｅ）が表示されていない場合には、図５（ａ）に示されるように、どのカテゴリのウィジェットＷ（ｉ，ｊ）も表示されていない場合、または図５（ｂ）に示されるように、指定操作に対応する今回カテゴリＣ（ｕ）とは異なるカテゴリＣ（ｖ）（ｖ≠ｕ）のウィジェットＷ（ｖ，ｊｖ）が表示されている場合がある。
【００７５】
図５（ａ）または図５（ｂ）に示されるように、今回カテゴリＣ（ｕ）のウィジェットＷ（ｕ，ｂｅｆｏｒｅ）が表示されていない場合、当該判定結果は否定的な結果（図４／ＳＴＥＰ０１１４‥ＮＯ）となる。一方、図５（ｃ）に示されるように、今回カテゴリＣ（ｕ）のウィジェットＷ（ｕ，ｂｅｆｏｒｅ）が表示されている場合には、当該判定結果は肯定的な結果（図４／ＳＴＥＰ０１１４‥ＹＥＳ）となる。
【００７６】
まずは、当該判定結果が否定的な結果（図４／ＳＴＥＰ０１１４‥ＮＯ）となる場合について説明する。
【００７７】
第１スマホ演算処理要素２１は、スマホ記憶要素２０４から、今回カテゴリＣ（ｕ）に含まれる所定の期間（現在から１週間前まで）における各ウィジェットの表示頻度、累積表示時間、表示時間の平均値及び操作頻度を認識する（図４／ＳＴＥＰ０１２０）。今回カテゴリＣ（ｕ）に含まれる各ウィジェットＷ（ｕ，ｊｕ）の表示頻度は、後述する図４／ＳＴＥＰ０１３２の処理で記憶されたウィジェットＷ（ｕ，ｊｕ）の表示時間の記録回数から求められる。また、今回カテゴリＣ（ｕ）に含まれる各ウィジェットＷ（ｕ，ｊｕ）の累積表示時間は、後述する図４／ＳＴＥＰ０１３２の処理で記憶されたウィジェット表示時間ｔ（ｕ，ｊｕ）を合算することにより求められる。また、今回カテゴリＣ（ｕ）に含まれる各ウィジェットＷ（ｕ，ｊｕ）の表示時間の平均値は、後述する図４／ＳＴＥＰ０１３２の処理で記憶されたウィジェット表示時間ｔ（ｕ，ｊｕ）を前記記録回数で除算することにより求められる。今回カテゴリＣ（ｕ）に含まれる各ウィジェットＷ（ｕ，ｊｕ）の操作頻度は、図４／ＳＴＥＰ０１０６で記憶されたウィジェット操作Ｐ３（ｕ）の内容から求められる。
【００７８】
第１スマホ演算処理要素２１は、認識された今回カテゴリＣ（ｕ）に含まれる各ウィジェットＷ（ｕ，ｊｕ）の表示頻度、表示時間の平均値及び操作頻度から今回カテゴリＣ（ｕ）内のウィジェットＷ（ｕ，ｊｕ）の優先順位を決定し、スマホ記憶要素２０４に記憶する（図４／ＳＴＥＰ０１２２）。第１スマホ演算処理要素２１は、ウィジェットＷ（ｕ，ｊｕ）の表示頻度が高いほど、ウィジェットＷ（ｕ，ｊｕ）の累積表示時間が長いほど、当該ウィジェットＷ（ｕ，ｊｕ）の平均表示時間が長いほど、またはウィジェットＷ（ｕ，ｊｕ）に対する操作頻度が高いほど今回カテゴリ内の当該ウィジェットＷ（ｕ，ｊｕ）の優先順位を高く設定する。ウィジェットＷ（ｕ，ｊｕ）の表示頻度が高いほど、高い評価値を与える第１換算式と、ウィジェットＷ（ｕ，ｊｕ）に対する累積表示時間が高いほど高い評価値を与える第２換算式と、ウィジェットＷ（ｕ，ｊｕ）に対する平均表示時間が高いほど高い評価値を与える第３換算式と、ウィジェットＷ（ｕ，ｊｕ）に対する操作頻度が高いほど高い評価値を与える第４換算式とを用いて、第１〜第４換算式の合計値が高いほど当該ウィジェットＷ（ｕ，ｊｕ）の優先順位を高く設定してもよい。
【００７９】
第１スマホ演算処理要素２１は、、決定されたウィジェットＷ（ｕ，ｊｕ）の優先順位に基づき、優先順位が第１位のウィジェットＷ（ｕ，ｆｉｒｓｔ）に対応するウィジェット表示時間ｔ（ｕ，ｆｉｒｓｔ）をゼロで定義する（図４／ＳＴＥＰ０１２４）。
【００８０】
第１スマホ演算処理要素２１は、図５に表示されるように、優先順位が第１位のウィジェットＷ（ｕ，ｆｉｒｓｔ）を、今回カテゴリＣ（ｕ）に対応するウィジェット領域Ｒ２（ｕ）に表示する（図４／ＳＴＥＰ０１２６）。
【００８１】
第１スマホ演算処理要素２１は、図４／ＳＴＥＰ０１２６のあと、今回処理を終了し、次回処理を開始する。
【００８２】
次に、図５（ｃ）に示されるように、今回カテゴリＣ（ｕ）のウィジェットＷ（ｕ，ｂｅｆｏｒｅ）が表示されていることにより、ＳＴＥＰ０１１４の判定結果が肯定的な結果（図４／ＳＴＥＰ０１１４‥ＹＥＳ）となる場合について説明する。
【００８３】
この処理は、ユーザが指定操作Ｐ２（ｋ）を間隔を置かずに繰り返した場合または、前回の指定操作Ｐ２（ｋ）の後、当該指定操作Ｐ２（ｋ）に対応するウィジェットＷ（ｉ，ｊ）（＝Ｗ（ｉ，ｂｅｆｏｒｅ））が表示されて続けている場合のいずれかに行われる。前者の場合は、ウィジェット表示時間ｔ（ｉ，ｊ）がゼロまたはほぼゼロであり、後者の場合は、ウィジェット表示時間ｔ（ｉ，ｊ）が前者のウィジェット表示時間ｔ（ｉ，ｊ）と比較してかなり大きくなっている。
【００８４】
次に、第１スマホ演算処理要素２１は、当該表示済みのウィジェットＷ（ｕ，ｂｅｆｏｒｅ）のウィジェット表示時間ｔ（ｕ，ｂｅｆｏｒｅ）が、所定時間Ｔ１以上であるか否かを判定する（図４／ＳＴＥＰ０１３０）。当該所定時間Ｔ１は、ユーザが当該ウィジェットＷ（ｕ，ｂｅｆｏｒｅ）を表示させようとする意志があったと認められるような時間（たとえば１０秒）である。前述したように、前回の指定操作Ｐ２（ｋ）があった時から長い時間が経過したような場合には、ウィジェット表示時間ｔ（ｕ，ｂｅｆｏｒｅ）が大きくなるため、当該判定結果は肯定的な結果となる。一方、指定操作Ｐ２（ｋ）が連続して行われたような場合は、ウィジェット表示時間ｔ（ｕ，ｂｅｆｏｒｅ）がゼロかゼロに近い値であるため、当該判定結果は否定的となる。
【００８５】
当該判定結果が肯定的であった場合（図４／ＳＴＥＰ０１３０‥ＹＥＳ）、第１スマホ演算処理要素２１は、当該ウィジェット表示時間ｔ（ｕ，ｂｅｆｏｒｅ）をスマホ記憶要素２０４に記憶する（図４／ＳＴＥＰ０１３２）。この記憶されたウィジェット表示時間ｔ（ｕ，ｂｅｆｏｒｅ）は、前記したように、図４／ＳＴＥＰ０１２０で使用される。
【００８６】
すなわち、ユーザが意図的にウィジェットＷ（ｉ，ｂｅｆｏｒｅ）を表示させていたと認められるような場合にのみ、当該ウィジェット表示時間ｔ（ｕ，ｂｅｆｏｒｅ）が記録される。これにより、図４／ＳＴＥＰ０１２２での処理において、当該表示時間及びその表示回数を基にしてウィジェットＷ（ｉ，ｊ）の優先順位が決定される。この結果、ウィジェットの優先順位にユーザの嗜好が反映されやすくなる。
【００８７】
当該判定結果が否定的であった場合（図４／ＳＴＥＰ０１３０‥ＮＯ）または図４／ＳＴＥＰ０１３２の後、第１スマホ演算処理要素２１は、図４／ＳＴＥＰ０１２２で決定された優先順位に基づき、現在表示されているウィジェットＷ（ｕ，ｂｅｆｏｒｅ）（図５（ｃ）参照）の次の順位のウィジェットＷ（ｕ，ｎｅｘｔ）に対応するウィジェット表示時間t（ｕ，ｎｅｘｔ）をゼロで定義するとともに、Ｗ（ｕ，ｂｅｆｏｒｅ）を未定義にする（図４／ＳＴＥＰ０１３４）。第１スマホ演算処理要素２１は、スマホ記憶要素２０４を参照し、ウィジェットＷ（ｕ，ｎｅｘｔ）（図５（ｅ）参照）をウィジェット領域Ｒ２（ｕ）に表示する（図４／ＳＴＥＰ０１３６）。
【００８８】
第１スマホ演算処理要素２１は、図４／ＳＴＥＰ０１３６のあと、今回処理を終了し、次回処理を開始する。
【００８９】
（インフォメーション表示処理）
次に、第２スマホ演算処理要素２２が、サポートサーバ１０等の外部から情報を受信した際に、ユーザの操作と関係なく当該情報を表示するインフォメーション表示処理を説明する。
【００９０】
第２スマホ演算処理要素２２は、インフォメーションカテゴリ（第４カテゴリＣ（４））に対応するウィジェット表示時間ｔ（４，ｊ）が定義されているか否かを判定する（図６／ＳＴＥＰ０２０１）。
【００９１】
ウィジェット表示時間ｔ（４，ｊ）は、インフォメーションカテゴリ（第４カテゴリＣ（４））に対応するウィジェットＷ（４，ｊ）が表示されている場合に定義される時間変数である。
【００９２】
当該判定結果が肯定的である場合（図６／ＳＴＥＰ０２０１‥ＹＥＳ）、第２スマホ演算処理要素２２は、ウィジェット表示時間ｔ（４，ｊ）に処理単位時間Δｔを加算する（図６／ＳＴＥＰ０２０２）。
【００９３】
当該判定結果が否定的である場合（図６／ＳＴＥＰ０２０１‥ＹＥＳ）または図６／ＳＴＥＰ０２０２の処理の後、第２スマホ演算処理要素２２は、外部からの指定情報を受信しているか否かを判定する（図６／ＳＴＥＰ０２０３）。外部からの指定情報には、サポートサーバ１０からの交通情報及び気象情報、ニュースサーバからの時事情報及び車両からの周辺情報（たとえばバックを開始した場合のリアカメラの情報）が含まれる。
【００９４】
当該判定結果が否定的である場合、第２スマホ演算処理要素２２は、図６／ＳＴＥＰ０２０１以下の処理を実行する。他方、当該判定結果が肯定的である場合、第２スマホ演算処理要素２２は、図６／ＳＴＥＰ０２１０以下の処理を実行する。
【００９５】
前回の外部からの情報を受信してから長い時間が経過している場合には、図６／ＳＴＥＰ０２０１〜図６／ＳＴＥＰ０２０２が繰り返し行われることになるため、ウィジェット表示時間ｔ（４，ｊ）は大きくなる。
【００９６】
一方、前回の情報受信後すぐに再度情報を受信した場合には、図６／ＳＴＥＰ０２０１〜図６／ＳＴＥＰ０２０２がほとんど繰り返されないため、当該ウィジェット表示時間ｔ（４，ｊ）はゼロかゼロに近い値となる。
【００９７】
図６／ＳＴＥＰ０２０３の判定結果が肯定的である場合（図６／ＳＴＥＰ０２０３‥ＹＥＳ）、第２スマホ演算処理要素２２は、図５（ｆ）に示されているように、下側ウィジェット領域Ｒ２（４）にウィジェットＷ（４，ｂｅｆｏｒｅ）が表示されているか否かを判定する（図６／ＳＴＥＰ０２１０）。
【００９８】
当該判定結果が肯定的であった場合（図６／ＳＴＥＰ０２１０‥ＹＥＳ）、第２スマホ演算処理要素２２は、ウィジェット表示時間ｔ（４，ｂｅｆｏｒｅ）が所定の値Ｔ２以上か否かを判定する（図６／ＳＴＥＰ０２１２）当該所定の値Ｔ２は、ユーザに情報を認識させるために十分な時間（たとえば１０秒）である。当該判定結果が否定的であった場合、再度図６／ＳＴＥＰ０２１２の処理を実行する。
【００９９】
図６／ＳＴＥＰ０２１０の判定結果が否定的であった場合（図６／ＳＴＥＰ０２１０‥ＮＯ）または図６／ＳＴＥＰ０２１２の判定結果が肯定的であった場合、第２スマホ演算処理要素２２は、受信した情報の種別を認識する（図６／ＳＴＥＰ０２２０）。情報の種別には、交通情報、気象情報、時事ニュース及び車両周辺情報が含まれる。
【０１００】
第２スマホ演算処理要素２２は、認識した種別に応じて、図５（ｇ）に示されているように、ウェジェットＷ（４，ｎｅｘｔ）を選択し、表示画面内の下側ウィジェット領域Ｒ２（４）に表示する（図６／ＳＴＥＰ０２２２）。
【０１０１】
第２スマホ演算処理要素２２は、ウィジェット表示時間ｔ（４，ｂｅｆｏｒｅ）を未定義にするとともに、ウィジェット表示時間ｔ（４，ｎｅｘｔ）をゼロに設定する（図６／ＳＴＥＰ０２２４）。
【０１０２】
第２スマホ演算処理要素２２は、図６／ＳＴＥＰ０２２４のあと、今回処理を終了し、次回処理を開始する。
【０１０３】
（ウィジェット非表示処理）
第１スマホ演算処理要素２１は、ウィジェットＷ（ｉ，ｊ）を表示してから表示可能時間が経過したこと及びウィジェットＷ（ｉ，ｊ）を非表示にするための主画像操作Ｐ１又はウィジェット操作Ｐ３（ｉ）を受け付けたことの少なくとも１つを要件として、対象のウィジェットＷ（ｉ，ｊ）を非表示にする。この場合に、第１スマホ演算処理要素２１は、当該ウィジェットＷ（ｉ，ｊ）に対応するウィジェット表示時間ｔ（ｉ，ｊ）を未定義状態に設定する。
【０１０４】
また、第１スマホ演算処理要素２１は、主画像ＭＰ中に設けられた「ＨＯＭＥボタン」を押下する操作を検知したことを要件として、表示されているすべてのウィジェットＷ（ｉ，ｊ）を非表示してもよい。
【０１０５】
（本実施形態の作用効果）
本発明の情報端末（スマホ２０）によれば、指定操作Ｐ２（ｋ）がなされたことを要件として出力装置２０２及び入力装置２０１の一方又は両方（以下、総称して「入出力装置」という。）が当該指定操作Ｐ２（ｋ）に関連付けられたカテゴリＣ（ｉ）に関連する出力インターフェース及び入力インターフェースの一方又は両方（以下、総称して「インターフェース」という。）として機能する。この結果、ユーザが当該カテゴリＣ（ｉ）に関連する機能を使用するまたは当該カテゴリＣ（ｉ）に分類される情報を出力させるために画面を注視する等の注意を払う必要性が低下するので、当該情報端末の使い勝手の向上が図られる。
【０１０６】
当該構成の情報端末（スマホ２０）によれば、一部または全部のカテゴリＣ（ｉ）のそれぞれに分類されるインターフェースが複数存在する場合でも、当該カテゴリＣ（ｉ）に対応する指定操作Ｐ２（ｋ）の繰り返しにより入出力装置２０１，２０２をユーザ所望のインターフェースとして機能させることができる。この結果、ユーザが当該カテゴリＣ（ｉ）に関連する機能を使用するまたは当該カテゴリＣ（ｉ）に分類される情報を取得するために画面を注視する等の注意を払う必要性が低下するので、当該情報端末（スマホ２０）の使い勝手の向上が図られる。
【０１０７】
利用頻度が高いインターフェースは、今後もユーザが所望するインターフェースである蓋然性が高い。この点に着目して構成された当該構成の情報端末（スマホ２０）によれば、利用頻度が高いインターフェースの優先順位が高く設定される。この結果、その後も、少ない回数の指定操作Ｐ２（ｋ）で入出力装置をユーザが所望するインターフェースとして機能させることができる蓋然性が高くなるので、当該情報端末（スマホ２０）の使い勝手の向上が図られる。
【０１０８】
当該構成の情報端末（スマホ２０）によれば、指定操作Ｐ２（ｋ）の指向性に対応する方位（ｌｏｗｅｒ，ｌｅｆｔ，ｒｉｇｈｔ，ｕｐｐｅｒ）に対してそれぞれ基準点を中心として表示画面Ｆの反対の方位に存在する領域Ｒ２（１）、Ｒ２（２）、Ｒ２（３）、Ｒ２（４）に第１画像または第２画像（を構成要素として含むウィジェットＷ（１，ｊ１）〜Ｗ（４，ｊ４））が表示される。これにより、出力画像において指定操作Ｐ２（ｋ）の指向性に対応する方位または指定操作Ｐ２（ｋ）の指向性と関係がない方位に第１画像または第２画像（を構成要素として含むウィジェットＷ（１，ｊ１）〜Ｗ（４，ｊ４））が表示される場合に比べ、ユーザに与える違和感が軽減される。この結果、当該情報端末（スマホ２０）の使い勝手の向上が図られる。
【０１０９】
ユーザと情報端末（スマホ２０）の出力装置２０２及び入力装置２０１の配置関係によっては、ユーザが一部の指定操作Ｐ２（ｋ）をしにくい場合がある。また、外部から受信した情報のうち一部または全部の情報は、ユーザが指定操作Ｐ２（ｋ）を行わない場合でも、表示することが好ましいことがある。
【０１１０】
これらの点に着目して構成された当該構成の情報端末（スマホ２０）によれば、受信した情報が指定情報に該当することを要件として予め指定された指定領域Ｒ２（４）に当該情報を含む第２画像（を構成要素として含むウィジェットＷ（４，ｊ４））が表示される。この結果、ユーザの指定操作が省略されながら、指定領域Ｒ２（４）に受信した情報が適切に出力されるので、当該情報端末（スマホ２０）の使い勝手の向上が図られる。
【０１１１】
出力装置２０２の短手方向の縁部領域Ｒ２（１），Ｒ２（４）への第１画像及び第２画像の一方又は両方の長時間の表示は、出力装置２０２の長手方向の縁部領域Ｒ２（２），Ｒ２（３）への第１画像及び第２画像の一方又は両方の長時間の表示に比べ、出力装置２０２全体の視認性が著しく低下しやすい。
【０１１２】
この点に着目して構成された当該構成の情報端末（スマホ２０）によれば、機能可能時間（表示可能時間）が長時間の第１画像及び第２画像の一方又は両方（を構成要素として含むウィジェットＷ（２，ｊ３）及びＷ（３，ｊ３））が出力装置の長手方向の縁部領域Ｒ２（２），Ｒ２（３）に表示され、機能可能時間が短時間の第１画像及び第２画像の一方又は両方（を構成要素として含むウィジェットＷ（１，ｊ１）及びＷ（４，ｊ４））が出力装置の短手方向の縁部領域Ｒ２（１），Ｒ２（４）に表示される。この結果、視認性の著しい低下が回避されるので、当該情報端末の使い勝手の向上が図られる。
【０１１３】
当該構成の情報端末によれば、ユーザの関心が高い検索カテゴリＣ（１）、著作物カテゴリＣ（２）、コミュニケーションカテゴリＣ（３）及びインフォメーションカテゴリＣ（４）が個別にカテゴリ分けされる。この結果、入出力装置２０１，２０２を指定操作Ｐ２（ｋ）によってユーザの関心が高いカテゴリＣ（１）〜Ｃ（４）のインターフェースとして機能させることができるので、ユーザが画面を注視する等の注意を払う必要性が低下する。この結果、当該情報端末の使い勝手の向上が図られる。
【０１１４】
（他の実施形態）
本実施形態では、カテゴリの数は４であったが、これに代えて、カテゴリの数が３以下または５以上で構成されてもよい。
【０１１５】
本実施形態において、入力装置２０１は、ディスプレイと一体として構成されたタッチパネルスイッチから構成されたが、これに加えて、ユーザの音声を収集するためのマイクにより構成されてもよい。この場合、ユーザ操作Ｐとして音声入力が採用されてもよい。
【０１１６】
本実施形態では、入力装置２０１はディスプレイと一体的に構成されているタッチパネルスイッチにより構成されているが、これに代えてまたは加えて、ディスプレイと異なる装置（たとえば、キーボード）により入力装置２０１が構成されてもよい。
【０１１７】
本実施形態において、出力装置２０２は、ディスプレイ及びスピーカから構成されたが、これに代えて、ディスプレイのみにより構成されてもよいし、またはスピーカのみにより構成されてもよい。
【０１１８】
また、指定操作Ｐ２（ｋ）を操作種別「２本指フリック操作」の操作態様「上下左右のどの方向へのフリック操作か」で区別していたが、これに限られない。たとえば、指定操作Ｐ２（ｋ）を操作種別「ダブルタップ」の操作態様「表示画面の右斜め上、左斜め上、左斜め下、右斜め下のどこをタップしたか」で区別してもよい。
【０１１９】
本実施形態では、表示画面の横方向が長手方向であったが、これに代えて縦方向が長手方向であってもよい。また、スマホ２０の向きに応じて長手方向が適宜切り替えられてもよい。
【０１２０】
本実施形態のウィジェットに代えて、ランチャー、ガジェット等のアクセサリーソフトが採用されてもよい。
【符号の説明】
【０１２１】
２０‥スマホ（情報端末）、２０１‥入力装置、２０２‥出力装置、Ｐ２（ｋ）‥指定操作、Ｃ（ｉ）・・カテゴリ。
【図１】
2015170052.tif 000003
【図２】
2015170052.tif 000004
【図３】
2015170052.tif 000005
【図４】
2015170052.tif 000006
【図５】
2015170052.tif 000007
【図６】
2015170052.tif 000008